(57)【要約】【課題】チリ寸法の大小に関わらず検知部の検知動作を安定させることができる錠装置用扉開閉検知構造を提供する。【解決手段】錠装置用扉開閉検知構造において、建具枠１３に凹設されるトロヨケ１７と、トロヨケ１７を覆って建具枠１３に固定されトロヨケ１７の凹部空間２３を開放するストライク穴２９の穿設されるストライク２７と、ストライク２７に対向して扉１１の木口面４９に固定されるフロント板５１と、フロント板５１の裏面側に設けられた検知側磁石５３を有する検知部５５と、トロヨケ１７に設けられ検知部５５によって検知される被検知部３３と、被検知部３３に設けられ検知側磁石５３と磁気吸引力が生じる磁極側をフロント板５１に向けストライク２７から外方へ突出可能となってトロヨケ１７に進退自在に保持される被検知側磁石３７と、を設けた。【選択図】  図４
2014196639.tif 000002
【特許請求の範囲】
【請求項１】
建具枠に凹設されるトロヨケと、
前記トロヨケを覆って前記建具枠に固定され前記トロヨケの凹部空間を開放するストライク穴の穿設されるストライクと、
前記ストライクに対向して扉の木口面に固定されるフロント板と、
前記フロント板の裏面側に設けられた検知側磁石を有する検知部と、
前記トロヨケに設けられ前記検知部によって検知される被検知部と、
前記被検知部に設けられ前記検知側磁石と磁気吸引力が生じる磁極側を前記フロント板に向け前記ストライクから外方へ突出可能となって前記トロヨケに進退自在に保持される被検知側磁石と、
を具備することを特徴とする錠装置用扉開閉検知構造。
【請求項２】
請求項１記載の錠装置用扉開閉検知構造であって、
前記被検知部には、前記検知側磁石の磁気吸引力が一定以下となったときに突出した前記被検知側磁石を前記凹部空間に後退させる後退移動付勢部材が設けられていることを特徴とする錠装置用扉開閉検知構造。
【請求項３】
請求項１または２記載の錠装置用扉開閉検知構造であって、
前記被検知側磁石の前記ストライクから突出する先端部分に、先端に向かって幅長の狭まる傾斜面を有することを特徴とする錠装置用扉開閉検知構造。
【請求項４】
請求項１または２または３記載の錠装置用扉開閉検知構造であって、
前記検知部には連動機構が設けられ、
前記連動機構は、前記被検知側磁石からの磁気吸引力が一定以下となったときにデッドボルトを後退位置で保持することを特徴とする錠装置用扉開閉検知構造。
【請求項５】
請求項４記載の錠装置用扉開閉検知構造であって、
前記連動機構は、
前記デッドボルトを突出方向に付勢するデッド付勢部材と、
前記検知側磁石を揺動先端側に固定して揺動自在に支持され前記被検知側磁石からの磁気吸引力が一定以下となったときに付勢バネによって前記フロント板から離反する離反揺動端に揺動されるデッドリリーサと、
前記デッドボルトを後退位置で保持する一方、前記デッドリリーサの近接揺動端への揺動に従動して後退位置の前記デッドボルトの保持を解除するラチェットレバーと、
を具備することを特徴とする錠装置用扉開閉検知構造。
【請求項６】
請求項１，２，３，４，５のいずれか１つに記載の錠装置用扉開閉検知構造であって、
前記検知側磁石の揺動によってスイッチ装置がオンオフされることを特徴とする錠装置用扉開閉検知構造。
【発明の詳細な説明】
【技術分野】
【０００１】
本発明は、錠装置用扉開閉検知構造に関する。
【背景技術】
【０００２】
錠装置には、ストライク内に被検知側磁石を配置し、錠箱内に揺動する検知側磁石を設けて、互いの磁力を使うことで、デッドボルトに対する係脱などを行なって、デッドボルトの進退制御、例えば施解錠をするものがある（例えば特許文献１、２、３等参照）。
特許文献１に開示の錠止装置は、錠箱外に突出する方向に付勢されたデッドボルトに、前後方向に沿ってラック歯列を形成する。このラック歯列と噛み合い係合をする制御歯車に半径方向に延伸する係止レバーを一体に結合し、デッドボルトが錠箱内に引っ込んだ解放状態を、係止レバーと係合するトリガー体により保つ。トリガー体の外端に第一永久磁石を装着し、閉扉時これと整合する扉枠の部位に異磁極で第一永久磁石を吸着する第二永久磁石を装着し、閉扉時磁気吸着力によりトリガー体を回動させてデッドボルトを解放する。
【０００３】
特許文献２に開示の錠止装置は、前方に向け付勢されたデッドボルトに前後方向に沿ってラチェット歯列を形成する。そのラチェット歯列に係脱される爪片を有する係止スライダを変位可能に設け、デッドボルトの錠箱内における没入位置をラチェット歯列と係止スライダとの係合により保てるようにする。係止スライダには、その爪片とラチェット歯列との係脱を制御するために、一端に第１永久磁石を装着した揺動可能なトリガー体を連結させる一方、閉扉時第１永久磁石と整合する扉枠の部位に同磁極で対向する第２永久磁石を装着し、閉扉時磁気反発力によりトリガー体を揺動させ、デッドボルトを自動的に突出させる。
【０００４】
特許文献３に開示の錠止装置は、前方に向け付勢されたデッドボルトと、デッドボルトにおいて前後方向に沿って形成されたラチェット歯列と、一端がフロント板に近接しまたはそれから遠ざかる方向に付勢され、他端にラチェットに係脱される爪片を有する揺動可能なトリガー体と、トリガー体の一端の第１永久磁石と、扉枠側で第１永久磁石と同磁極または異磁極で対向させるようにした第２永久磁石と、デッドボルトを引き込ませるためのリトラクタとから成る。
【先行技術文献】
【特許文献】
【０００５】
【特許文献１】特許第３２８３２４９号公報
【特許文献２】特開平１１−１２５０４８号公報
【特許文献３】特許第４１０８１６３号公報
【発明の概要】
【発明が解決しようとする課題】
【０００６】
しかしながら、上記のような錠装置用扉開閉検知構造は、建具枠と扉木口との隙間、所謂チリは、必ずしも一定のものではなく、現場ごとに異なり、また、経年変化によってもそのチリ寸法が変わる。このことから、検知部に作用する磁気吸着力や磁気反発力は一定ではない。特にチリ寸法が大きくなると、十分な磁力を得ることができない。このように従来の磁石を用いた錠装置用扉開閉検知構造は、チリ寸法の大小によって検知部の検知動作が不安定となり、作動不良を起こしかねない。
【０００７】
本発明は上記状況に鑑みてなされたもので、その目的は、チリ寸法の大小に関わらず検知部の検知動作を安定させることができる錠装置用扉開閉検知構造を提供することにある。
【課題を解決するための手段】
【０００８】
次に、上記の課題を解決するための手段を、実施の形態に対応する図面を参照して説明する。
本発明の請求項１記載の錠装置用扉開閉検知構造は、建具枠１３に凹設されるトロヨケ１７と、
前記トロヨケ１７を覆って前記建具枠１３に固定され前記トロヨケ１７の凹部空間２３を開放するストライク穴２９の穿設されるストライク２７と、
前記ストライク２７に対向して扉１１の木口面４９に固定されるフロント板５１と、
前記フロント板５１の裏面側に設けられた検知側磁石５３を有する検知部５５と、
前記トロヨケ１７に設けられ前記検知部５５によって検知される被検知部３３と、
前記被検知部３３に設けられ前記検知側磁石５３と磁気吸引力が生じる磁極側を前記フロント板５１に向け前記ストライク２７から外方へ突出可能となって前記トロヨケ１７に進退自在に保持される被検知側磁石３７と、
を具備することを特徴とする。
【０００９】
この錠装置用扉開閉検知構造では、扉１１が閉められると、扉１１に設けられる検知部５５の検知側磁石５３と、トロヨケ１７に設けられる被検知部３３の被検知側磁石３７とに、磁気吸引力が発生する。この磁気吸引力によって、被検知側磁石３７は、フロント板５１に向け、ストライク２７から外方へ突出される。検知部５５では、被検知側磁石３７により検知側磁石５３に作用する磁気吸引力によって、被検知側磁石３７が接近したこと、すなわち、扉１１が閉められたことが検知される。逆に、検知側磁石５３に作用する磁気吸引力が一定以下となれば、検知部５５では、被検知側磁石３７が離反したこと、すなわち、扉１１が開けられたことが検知される。この際、被検知側磁石３７は、ストライク２７から突出する分、従来構造に比べて検知側磁石５３に近接される。これにより、チリ寸法が大きくなっても、検知側磁石５３が近接した分、従来構造に比べ強い磁力が得られ、検知部５５に作動不良が生じにくくなる。
【００１０】
本発明の請求項２記載の錠装置用扉開閉検知構造は、請求項１記載の錠装置用扉開閉検知構造であって、
前記被検知部３３には、前記検知側磁石５３の磁気吸引力が一定以下となったときに突出した前記被検知側磁石３７を前記凹部空間２３に後退させる後退移動付勢部材が設けられていることを特徴とする。
【００１１】
この錠装置用扉開閉検知構造では、扉１１が閉められた状態では、検知側磁石５３の磁気吸引力によって被検知側磁石３７がストライク２７から外方へ突出される。扉１１が開けられると、検知側磁石５３が離れることにより、被検知側磁石３７に作用していた磁気吸引力が一定以下となる。被検知側磁石３７は、突出方向の磁気吸引力が減少すると、今度は後退移動付勢部材によってトロヨケ１７の凹部空間２３に引き込まれて収納される。後退移動付勢部材としては、一定以下の引き込み力を被検知側磁石３７に常に加える引っ張りバネを用いることができる。また、被検知側磁石３７との間に、引き込み方向の磁気吸引力を生じさせる磁性体等が用いられてもよい。
【００１２】
本発明の請求項３記載の錠装置用扉開閉検知構造は、請求項１または２記載の錠装置用扉開閉検知構造であって、
前記被検知側磁石３７の前記ストライク２７から突出する先端部分に、先端に向かって幅長の狭まる傾斜面４３を有することを特徴とする。
【００１３】
この錠装置用扉開閉検知構造では、扉１１の開閉時に、ストライク２７よりも被検知側磁石３７の先端部分が突出することがあっても、扉１１の開閉の邪魔にならず、例えば閉扉時に被検知側磁石３７が突出状態であっても、扉１１の木口端と傾斜面４３とが摺接し閉扉動作を妨げることがない。
【００１４】
本発明の請求項４記載の錠装置用扉開閉検知構造は、請求項１または２または３記載の錠装置用扉開閉検知構造であって、
前記検知部５５には連動機構５９が設けられ、
前記連動機構５９は、前記被検知側磁石３７からの磁気吸引力が一定以下となったときにデッドボルト６１を後退位置で保持することを特徴とする。
【００１５】
この錠装置用扉開閉検知構造では、検知部５５の検知側磁石５３に作用する磁気吸引力が一定以下になると、連動機構５９が作動する。連動機構５９は、扉１１に設けられている錠装置６３に連設される。連動機構５９は、検知側磁石５３に作用する磁気吸引力が一定以下になることを利用して、錠装置６３に設けられているデッドボルト６１を後退位置に保持する。
【００１６】
本発明の請求項５記載の錠装置用扉開閉検知構造は、請求項４記載の錠装置用扉開閉検知構造であって、
前記連動機構５９は、
前記デッドボルト６１を突出方向に付勢するデッド付勢部材と、
前記検知側磁石５３を揺動先端側に固定して揺動自在に支持され前記被検知側磁石３７からの磁気吸引力が一定以下となったときに付勢バネ８９によって前記フロント板５１から離反する離反揺動端に揺動されるデッドリリーサ６７と、
前記デッドボルト６１を後退位置で保持する一方、前記デッドリリーサ６７の近接揺動端への揺動に従動して後退位置の前記デッドボルト６１の保持を解除するラチェットレバー６９と、
を具備することを特徴とする。
【００１７】
この錠装置用扉開閉検知構造では、閉扉時、検知側磁石５３が被検知側磁石３７と吸引し合い、デッドリリーサ６７がフロント板５１に近接する近接揺動端に揺動される。この際、被検知側磁石３７は、ストライク２７から突出される。デッドリリーサ６７の近接揺動端への揺動に従動して、ラチェットレバー６９は、後退位置のデッドボルト６１の保持を解除する。ラチェットレバー６９による係止の解除されたデッドボルト６１は、デッド付勢部材の付勢力によって突出し、ストライク穴２９に進入する。これにより、扉１１が開扉規制状態となっている。開扉時、先ず、デッドボルト６１がデッド付勢部材の付勢力に抗して後退される。デッドボルト６１の後退は、連動機構５９に設けられる例えばドアノブが回転されることで行われる。この際、ドアノブの回転操作力は、被検知側磁石３７との磁気吸引力に抗してデッドリリーサ６７を離反揺動端へ移動させる。また、デッドリリーサ６７の離反揺動端への揺動は、後退位置のデッドボルト６１を保持する位置にラチェットレバー６９を移動する。
扉１１が開放されると、検知側磁石５３との磁気吸引力が一定以下となった被検知側磁石３７は、トロヨケ１７に収納される。デッドリリーサ６７は、被検知側磁石３７からの磁気吸引力が一定以下になると、付勢バネ８９によってフロント板５１から離反する離反揺動端に揺動されたままに保持される。ラチェットレバー６９も同時にデッドボルト６１の突出を規制する位置に保持される。従って、扉１１が開放されてもラチェットレバー６９に係合されたデッドボルト６１は、デッド付勢部材に付勢されていても、フロント板５１から突出されない。
開扉状態から閉扉されると、被検知側磁石３７と検知側磁石５３とが磁気吸引力によって相互に接近し、被検知側磁石３７がストライク２７から突出されるとともに、検知側磁石５３がデッドリリーサ６７を近接揺動端へ揺動させる。デッドリリーサ６７が近接揺動端へ揺動されると、ラチェットレバー６９が従動して揺動され、その結果、ラチェットレバー６９は、後退位置のデッドボルト６１の保持を解除する。ラチェットレバー６９による係止の解除されたデッドボルト６１は、デッド付勢部材の付勢力によって突出し、ストライク穴２９に進入する。これにより、扉１１が再び開扉規制状態となる。
【００１８】
本発明の請求項６記載の錠装置用扉開閉検知構造は、請求項１，２，３，４，５のいずれか１つに記載の錠装置用扉開閉検知構造であって、
前記検知側磁石５３の揺動によってスイッチ装置がオンオフされることを特徴とする。
【００１９】
この錠装置用扉開閉検知構造では、扉１１の開閉に伴う検知側磁石５３の揺動により、スイッチ装置のアクチュエータが作動される。アクチュエータの作動されたスイッチ装置は、内部の接点部によって内部電気回路を閉路または開路する。この閉路または開路が端子部を介して外部回路と接続される。
【発明の効果】
【００２０】
本発明に係る請求項１記載の錠装置用扉開閉検知構造によれば、チリ寸法の大小に関わらず検知部の検知動作を安定させることができる。
【００２１】
本発明に係る請求項２記載の錠装置用扉開閉検知構造によれば、開扉時に、被検知側磁石を凹部空間に収容して、見栄えをよくすることができる。
【００２２】
本発明に係る請求項３記載の錠装置用扉開閉検知構造によれば、被検知側磁石がストライクより突出した状態となっていても、扉の開閉を妨げることがない。
【００２３】
本発明に係る請求項４記載の錠装置用扉開閉検知構造によれば、開扉状態においてデッドボルトを突出させないようにできる。
【００２４】
本発明に係る請求項５記載の錠装置用扉開閉検知構造によれば、閉扉の検知によってラチェットレバーを作動させ、専用の駆動装置を用いずに、デッドボルトを閉扉と同時に突出させることができる。
【００２５】
本発明に係る請求項６記載の錠装置用扉開閉検知構造によれば、扉の開閉状態によって異なる位置へ配置される検知側磁石の移動を利用してスイッチ装置をオンオフさせ、扉の開閉状態を電気信号として検知することができる。
【図面の簡単な説明】
【００２６】
【図１】本発明の実施形態に係る錠装置用扉開閉検知構造の分解斜視図である。
【図２】図１に示した錠装置用扉開閉検知構造の開扉時の平断面図である。
【図３】図１に示した錠装置用扉開閉検知構造の閉扉時の平断面図である。
【図４】（ａ）は図１の錠装置用扉開閉検知構造が設けられる錠装置の側断面図、（ｂ）は（ａ）のＡ−Ａ断面図である。
【図５】（ａ）は開扉時に被検知側磁石が収納された状態を表す錠装置用扉開閉検知構造の側断面図、（ｂ）は（ａ）の平断面図である。
【図６】（ａ）は開扉時に検知側磁石が離反揺動端となった状態を表す錠装置の側断面図、（ｂ）は（ａ）の要部平断面図である。
【図７】（ａ）は閉扉時における錠装置用扉開閉検知構造及び錠装置の側断面図、（ｂ）は（ａ）のＢ−Ｂ断面図である。
【発明を実施するための形態】
【００２７】
以下、本発明に係る実施形態を図面を参照して説明する。
図１は本発明の実施形態に係る錠装置用扉開閉検知構造の分解斜視図、図２は図１に示した錠装置用扉開閉検知構造の開扉時の平断面図、図３は図１に示した錠装置用扉開閉検知構造の閉扉時の平断面図、図４（ａ）は図１の錠装置用扉開閉検知構造が設けられる錠装置の側断面図、（ｂ）は（ａ）のＡ−Ａ断面図である。
本実施形態に係る錠装置用扉開閉検知構造は、例えば扉１１（図４参照）に好適に用いることができる。この他、錠装置用扉開閉検知構造は、引戸に用いることもできる。本実施形態では、錠装置用扉開閉検知構造が扉１１に用いられる例を説明する。
【００２８】
扉１１は、建具枠１３の開口部１５に取り付けられる。建具枠１３には一部分が彫り込まれることでトロヨケ１７が凹設される。トロヨケ１７は、一側面が開放された上下に長い矩形箱状のトロヨケ本体部１９と、このトロヨケ本体部１９の上下端から上下方向に延出する一対の固定鍔部２１と、を有する。トロヨケ本体部１９の内方は、凹部空間２３となる。固定鍔部２１には挿通穴２５が穿設され、トロヨケ１７は挿通穴２５に挿通される固定ビス（不図示）によって建具枠１３に固定される。
【００２９】
建具枠１３にはトロヨケ１７を覆って矩形板状のストライク２７が固定される。ストライク２７には、トロヨケ１７の凹部空間２３を開放する矩形状のストライク穴２９が形成される。ストライク２７にはストライク穴２９を挟んで上下に固定穴３１が穿設され、ストライク２７は固定穴３１に挿通される固定ビス（不図示）によって上記の固定鍔部２１と共締めされて建具枠１３に固定される。従って、建具枠１３に固定されたトロヨケ１７とストライク２７は、ストライク２７のみが表出する。トロヨケ１７は、ストライク穴２９から開放される凹部空間２３のみが表出する。
【００３０】
ストライク穴２９は、上下に長い矩形穴状に形成される。ストライク穴２９の下部には被検知部３３が設けられる。被検知部３３では、ストライク穴２９が、他の部分よりも拡幅されたストッパー部３５となっている。このストッパー部３５の背部には被検知側磁石３７が設けられる。
【００３１】
被検知側磁石３７は、外側が樹脂製のスライドホルダー３９によって覆われる。スライドホルダー３９は、凹部空間２３における被検知側磁石３７のスライドを円滑にしている。スライドホルダー３９は、左右幅方向（図２の上下方向）の寸法が凹部空間２３の左右の内壁面に摺接する大きさで形成されている。また、凹部空間２３に収容されるスライドホルダー３９の表面には、ストッパー部３５から前方に突出するチリ突出部４１が形成される。チリ突出部４１は、先端に向かって左右の幅が狭まる一対の傾斜面４３を有する。傾斜面４３の突出方向と反対側には係合段部４５が連設される。係合段部４５は、チリ突出部４１をストライク穴２９から突出させた状態で、図３に示すように、ストッパー部３５に背面側から当たり、それ以上の被検知側磁石３７の突出を規制する。被検知側磁石３７は、凹部空間２３に後退することで、図２に示すように、チリ突出部４１の先端面がストライク２７の表面と略面一となるように配置される。
【００３２】
チリ突出部４１の突出長さ（突出量）は、本実施形態では４ｍｍ程度となる。通常、ストライク２７と扉１１の木口面４９との間隙は、最大で６ｍｍを基準としており、検知を行なえる間隔（図７に示すチリ４７）は、この間隙寸法６ｍｍまでとして施工している。本構成は、チリ突出部４１が４ｍｍ突出可能となり、チリ突出部４１から木口面４９までの検知可能距離が６ｍｍであるので、建具枠１３と木口面４９との間隙のチリ４７は最大１０ｍｍまでの範囲で検知が可能となる。
【００３３】
また、チリ突出部４１が突出しない従来構造の被検知側磁石は、高さ２０ｍｍ幅２０ｍｍ奥行き１５ｍｍ程度の大きさが必要であった。これに対し、チリ突出部４１が突出することにより磁気吸引力が確保しやすくなる被検知側磁石３７は、高さ２０ｍｍ幅１６ｍｍ奥行き１４ｍｍの大きさで形成できる。これにより、被検知側磁石３７の小型化、軽量化が実現してスライド性能が向上するとともに、コスト低減も可能となる。
【００３４】
一方、扉１１の木口面４９には、ストライク２７に対向してフロント板５１が固定される。フロント板５１の裏面側には、検知側磁石５３を有する検知部５５が設けられる。検知部５５は、トロヨケ１７に設けられている被検知側磁石３７を検知する。上記の被検知側磁石３７は、検知側磁石５３に対して磁気吸引力が生じる磁極側をフロント板５１に向けている。これにより、ストライク２７から外方へ突出可能となって、トロヨケ１７に進退自在に保持される。
【００３５】
また、上記の被検知部３３には、後退移動付勢部材である吸着ピン５７が設けられる。吸着ピン５７は、被検知側磁石３７との間に磁気吸引力を生じさせる磁性体からなり、凹部空間２３の底面に固定される。吸着ピン５７は、検知側磁石５３との磁気吸引力が一定以下となったときに突出した被検知側磁石３７を凹部空間２３に後退させるよう働く。後退移動付勢部材としては、一定以下の引き込み力を被検知側磁石３７に常に加える引っ張りバネを用いてもよい。
【００３６】
図４に示すように、検知部５５には連動機構５９が設けられる。連動機構５９は、被検知側磁石３７からの磁気吸引力が一定以下となったときに、デッドボルト６１を後退位置で保持する。デッドボルト６１は、扉１１に設けられる錠装置６３に連結されている。デッドボルト６１は、錠装置６３の例えばドアノブ（不図示）、電気錠（不図示）の作動によってフロント板５１から進退される。本実施形態において、デッドボルト６１及び検知部５５は、錠装置６３の錠ケース６５に収容される。
【００３７】
検知部５５の連動機構５９は、デッド付勢部材と、デッドリリーサ６７と、ラチェットレバー６９と、を有する。デッド付勢部材は、デッドボルト６１を突出方向に付勢する。デッド付勢部材は、デッドボルト６１のラック７１に噛合する施錠ギヤ７３と、この施錠ギヤ７３をデッドボルト突出方向に付勢する付勢部材（不図示）と、からなる。施錠ギヤ７３は、錠ケース６５のケース側板７５から突設されるギヤ支軸７７に回転自在に支持される。施錠ギヤ７３には半径方向内側に凹設される切欠部７９が形成される。
【００３８】
ギヤ支軸７７には、施錠ギヤ７３と同軸となってラチェットホイール８１が回転自在に支持される。ラチェットホイール８１は、軸方向に沿って突出するギヤ係合ピン８３を有する。ラチェットホイール８１は、ギヤ係合ピン８３を施錠ギヤ７３の切欠部７９に遊びを有して係合する。施錠ギヤ７３とラチェットホイール８１は、切欠部７９とギヤ係合ピン８３を係合することで、所定回転角度の相対回転を可能にして、一体に連れ回り回転する。つまり、ラチェットホイール８１の回転が規制されれば、施錠ギヤ７３の回転も規制され、その結果、デッドボルト６１の突出が規制されるようになる。
【００３９】
デッドリリーサ６７は、検知側磁石５３を揺動先端側に固定している。デッドリリーサ６７は、揺動基端側の中空軸８５に、錠ケース６５のケース側板７５から突設されるリリーサ支軸８７が内挿されて回転自在に支持される。デッドリリーサ６７は、揺動自在に支持されることで、被検知側磁石３７からの磁気吸引力が一定以下となったときに、付勢バネ８９によってフロント板５１から離反する離反揺動端に揺動される。
【００４０】
ラチェットホイール８１には、揺動自在となったラチェットレバー６９が係止される。ラチェットレバー６９は、デッドリリーサ６７の中空軸８５に、受部９１が回転自在に外挿される。本実施形態において、ラチェットレバー６９は、デッドリリーサ６７と一体となって揺動される。ラチェットレバー６９は、デッドボルト６１を後退位置で保持する一方、デッドリリーサ６７の近接揺動端への揺動に従動して、後退位置のデッドボルト６１の保持を解除する。
【００４１】
なお、錠装置用扉開閉検知構造は、突出したデッドボルト６１に対して、シリンダ錠などを用いて、係止構造を付加することで、開扉規制状態をさらにロックする施錠状態とすることができる。
【００４２】
次に、上記構成を有する錠装置用扉開閉検知構造の作用を説明する。
図５（ａ）は開扉時に被検知側磁石３７が収納された状態を表す錠装置用扉開閉検知構造の側断面図、（ｂ）は（ａ）の平断面図、図６（ａ）は開扉時に検知側磁石５３が離反揺動端となった状態を表す錠装置６３の側断面図、（ｂ）は（ａ）の要部平断面図、図７（ａ）は閉扉時における錠装置用扉開閉検知構造及び錠装置６３の側断面図、（ｂ）は（ａ）のＢ−Ｂ断面図である。
錠装置用扉開閉検知構造は、扉１１が開放されている開扉時、図５に示す被検知部３３は、被検知側磁石３７が吸着ピン５７との間に作用する磁気吸引力によってトロヨケ１７に後退して収容されている。トロヨケ１７に収容された被検知側磁石３７は、チリ突出部４１がストライク２７と面一となる。この結果、開扉時に、被検知側磁石３７を凹部空間２３に収容して、見栄えをよくすることができる。
【００４３】
一方、図６に示す開扉時の検知部５５は、付勢バネ８９によってデッドリリーサ６７がフロント板５１から離反する離反揺動端に揺動されて保持される。ラチェットレバー６９も同時にデッドボルト６１の突出を規制する位置に保持される。従って、扉１１が開放されてもラチェットレバー６９に保持状態となるデッドボルト６１は、デッド付勢部材に付勢されていても、フロント板５１から突出されない。
【００４４】
錠装置用扉開閉検知構造では、開扉状態から扉１１が閉められると、扉１１に設けられる検知部５５の検知側磁石５３と、トロヨケ１７に設けられる被検知部３３の被検知側磁石３７とに磁気吸引力が発生する。この磁気吸引力によって、図７に示すように、被検知側磁石３７は、フロント板５１に向け、ストライク２７から外方へ突出される。
【００４５】
一方、検知部５５では、被検知側磁石３７との磁気吸引力によって検知側磁石５３がフロント板５１に近接して移動され、デッドリリーサ６７が近接揺動端に揺動する。すなわち、検知部５５は、被検知側磁石３７が接近したこと（扉１１が閉められたこと）を検知する。検知部５５では、デッドリリーサ６７の近接揺動端への揺動に従動して、ラチェットレバー６９がラチェットホイール８１への係止を解除する。ラチェットレバー６９による係止の解除されたデッドボルト６１は、デッド付勢部材の付勢力によって突出し、ストライク穴２９に進入する。これにより、扉１１が開扉規制状態となる。
【００４６】
この際、被検知側磁石３７は、図７に示すように、ストライク２７から突出する分、チリ４７の間隔距離よりも従来構造に比べて検知側磁石５３に近接される。対向する被検知側磁石３７と検知側磁石５３が引き合い、ストライク側の被検知側磁石３７が扉側にせり出ることで隔てる距離が小さくなる。このため、相対する磁石に対しての吸着力が確実になり、検出側の作動が確実となる。これにより、チリ寸法が大きくなっても、検知側磁石５３が近接した分、従来構造に比べ強い磁力が得られ、検知部５５に作動不良が生じにくくなる。
【００４７】
なお、扉１１の開閉時に、被検知側磁石３７の先端部分であるチリ突出部４１がストライク２７よりも突出している状態であっても、例えば、扉１１を開扉した際に、チリ突出部４１が突出してしまい、その後閉扉する際に、この扉１１の木口面４９とストライク２７のチリ４７が小さい場合であっても、被検知側磁石３７に傾斜面４３を備えることにより、この傾斜面４３と扉１１の木口端とが摺接し、閉扉動作が妨げられることがない。また、ストライク２７から突出した被検知側磁石３７の先端は、フロント板５１との間隙が小さい場合、すなわちチリ寸法が被検知側磁石３７の突出量（突出長さ）よりも小さい場合には、対向するフロント板５１の表面に接触或いは磁着するが、支障なく検知側磁石５３に対して磁気吸引力が生じる。
【００４８】
図４及び７に示した閉扉状態からの開扉は、先ず、ドアノブが操作されることで、デッドボルト６１がデッド付勢部材の付勢力に抗して後退される。この際、ドアノブの回転操作力は、同時に、被検知側磁石３７との磁気吸引力に抗してデッドリリーサ６７及びラチェットレバー６９を離反揺動端へ移動させる。ラチェットレバー６９は、離反揺動端へ移動されることで、後退位置のデッドボルト６１を保持する。扉１１が開放されると、被検知側磁石３７から離れ、検知側磁石５３との磁気吸引力が一定以下となる。この状態では、ドアノブが戻されても、今度はデッドリリーサ６７及びラチェットレバー６９は、付勢バネ８９によって離反揺動端に保持される。検知側磁石５３から離れた被検知側磁石３７は、吸着ピン５７との磁気吸引力によって図５に示すように、再びトロヨケ１７に収納される。
【００４９】
なお、錠装置用扉開閉検知構造では、検知側磁石５３の揺動によってスイッチ装置（不図示）がオンオフされる構造とすることができる。この錠装置用扉開閉検知構造では、扉１１の開閉に伴う検知側磁石５３の揺動により、スイッチ装置のアクチュエータが作動される。スイッチ装置としては、例えばマイクロスイッチを用いることができる。マイクロスイッチは、微小接点間隔とスナップアクション機構を備える。所定作動力で開閉動作する接点機構がケースに覆われ、その外部に接点機構を動作させるアクチュエータを備える。アクチュエータの作動されたスイッチ装置は、内部の接点部によって内部電気回路を閉路または開路する。この閉路または開路が端子部を介して外部回路と接続される。これにより、扉１１の開閉状態によって異なる位置へ配置される検知側磁石５３の移動を利用してマイクロスイッチをオンオフさせ、扉１１の開閉状態を電気信号として検知することができる。
【００５０】
また、上記実施形態では、錠装置用扉開閉検知構造が扉１１に設けられる場合を例に説明したが、本発明に係る錠装置用扉開閉検知構造は、引戸に用いることもできる。この場合、錠装置用扉開閉検知構造は、引戸の戸先に配設され、デッドボルト６１の代わりにカマ状デッドが用いられる。ラチェットレバー６９の係止が解除されると、カマ状デッドが揺動突出される。揺動突出されたカマ状デッドがストライク２７に係止され、引戸の開放が規制される。また、カマ状デッドに別途のロック構造を設けることで、規制解除がロックされる施錠が可能となる。
【００５１】
従って、本実施形態に係る錠装置用扉開閉検知構造によれば、チリ寸法の大小に関わらず検知部５５の検知動作を安定させることができる。
【符号の説明】
【００５２】
１１…扉
１３…建具枠
１５…開口部
１７…トロヨケ
２３…凹部空間
２７…ストライク
２９…ストライク穴
３３…被検知部
３７…被検知側磁石
４９…木口面
５１…フロント板
５３…検知側磁石
５５…検知部
５７…後退移動付勢部材（吸着ピン）
５９…連動機構
６１…デッドボルト
６７…デッドリリーサ
６９…ラチェットレバー
７３…デッド付勢部材（施錠ギヤ）
８９…付勢バネ
【図１】
2014196639.tif 000003
【図２】
2014196639.tif 000004
【図３】
2014196639.tif 000005
【図４】
2014196639.tif 000006
【図５】
2014196639.tif 000007
【図６】
2014196639.tif 000008
【図７】
2014196639.tif 000009